(57)【要約】【課題】成形性の悪い光学ガラス材料を用いてレンズを成形する場合であっても、芯取りなどの取付用基準面の加工が簡単にできるようにする。【解決手段】光学素材２０より加工性の良いガラス材料でリング状に形成されたフランジ部材３１が光学素材２０を囲むように一対の金型１２，１３の間に配置され、加圧によって光学素材２０の外周縁がフランジ部材３１の内周面に密着結合して一体化したフランジ付きのレンズを成形する。成形されたフランジ付きのレンズを冷却した後に金型１２，１３の間から取り出して、フランジ部（一体化されたフランジ部材３１）を切削加工して該フランジ部に位置決め用基準面を形成する。【選択図】図３
2013014455.tif 000002
【特許請求の範囲】
【請求項１】
光学素材に光学面形状を転写する一対の転写面が同一軸上で対向配置された一対の金型で、加熱され軟化した前記光学素材を加圧して光学素子を得る光学素子の製造方法において、
前記光学素材より加工性の良いガラス材料でリング状に形成されたフランジ部材が前記光学素材を囲むように前記一対の金型の間に配置され、前記加圧によって前記光学素材の外周縁が前記フランジ部材の内周面に密着結合して一体化したフランジ付きの光学素子が成形され、
成形された前記フランジ付きの光学素子を、冷却した後に前記金型から取り出して、フランジ部を切削加工して該フランジ部に位置決め用基準面を形成することを特徴とする光学素子の製造方法。
【請求項２】
前記光学素材は前記フランジ部材より成形性の悪い光学ガラスであることを特徴とする請求項１記載の光学素子の製造方法。
【請求項３】
前記光学素材はカルコゲナイドガラスであることを特徴とする請求項２記載の光学素子の製造方法。
【請求項４】
前記位置決め用基準面は、芯取り加工によって前記光学素子の光軸を中心とする円形に、且つ、前記光軸と平行に形成された前記フランジ部の外周面であることを特徴とする請求項１〜３いずれか記載の光学素子の製造方法。
【請求項５】
前記位置決め用基準面は、前記光学素子の光軸と直交する平面であることを特徴とする請求項１〜３いずれか記載の光学素子の製造方法。
【請求項６】
前記フランジ部材は、前記光学素材の屈伏点より高い転移点を有することを特徴とする請求項１〜５いずれか記載の光学素子の製造方法。
【請求項７】
前記フランジ部材の内周面には、前記加圧による前記光学素材の余肉部分を受け入れる余肉収容部が設けられていることを特徴とする請求項１〜６いずれか記載の光学素子の製造方法。
【発明の詳細な説明】
【技術分野】
【０００１】
本発明は、圧縮成形によって形成されるガラス光学素子の製造方法に関する。
【背景技術】
【０００２】
一般に、ガラスレンズは、変形可能な温度にまで加熱したプリフォームを一対の転写面を有する金型で加圧し、転写面に形成された光学面形状をプリフォームに転写してレンズを成形する圧縮成形法によって作られる。成形されたレンズは、その後、取り出し可能な温度にまで冷却されてから金型を開いて取り出され、レンズの外周面を切削して芯取り（芯出し）が施されて完成する。
【０００３】
一方、レンズに用いられるガラス材料にはいろいろあり、その性質はそれぞれ異なる。例えば、カルコゲナイドガラスは、赤外線を利用するエネルギ伝送やサーマルイメージセンサなど赤外線透過用レンズとして用いられているが、一般的な光学材料と比べて脆いので成形性が悪く、フランジ部を有するものでは圧縮時にフランジ部の付け根付近にクラックが入ることがある。また、材料の磨耗度が約１００前後である一般的な酸化物系ガラスやランタン系ガラスと比べて小さく、加工性・研削性が悪いので、前記芯取り作業も困難性が高い。
【０００４】
レンズ成形後の芯取りを省くために、外径がレンズ光軸と同心円になるように円環の一部を削除した金属枠をレンズ成形空間の周囲に配置して、中央に装填した光学素材のプリフォームを加熱圧縮し、前記プリフォームを前記金属枠の内面に密着結合させるとともに所定の形状に形成して光学素子を作製する方法が下記特許文献１に示されている。
【０００５】
また、極端に薄いフランジ部であってもクラックが入らないようにするため、光学素子の有効径外に薄い金属板を一体的に取り付けた光学部品の技術が下記特許文献２に開示されている。この光学部品は、成形素材とその周囲に配置された金属板とを備え、成形素材を加熱プレスして光学素子を成形する際に、光学素子と金属板とを一体的に密着接合するようにしている。
【先行技術文献】
【特許文献】
【０００６】
【特許文献１】特開平０９−２２１３３２号公報
【特許文献２】特開２００７−１３３１９７号公報
【発明の概要】
【発明が解決しようとする課題】
【０００７】
特許文献１，２に記載されているような、金属製のフランジ部材をレンズに一体成形する方法では、成形されたレンズの光軸に対する取付部であるフランジ部の中心軸の位置精度を、高精度にバラツキなく量産することはできない。従って、レンズ部を成形した後にレンズ光軸を基準にフランジ部を切削加工して芯取りを行わなければならない。
【０００８】
フランジ部をレンズ部と同じ材料で一体成形し、成形後にフランジ部の芯取りをする方法は、カルコゲナイドガラスのような成形性の悪い材料の場合は困難性が高い。また、光学性能を必要としないフランジ部も高価なカルコゲナイドガラスを用いることになり、コスト負担が大きい。
【０００９】
本発明は、上記問題に鑑み、成形性の悪い光学ガラス材料を用いてレンズを成形する場合であっても、芯取りなど取付基準面の加工が簡単にできるレンズの製造方法を提案するものである。
【課題を解決するための手段】
【００１０】
本発明によるガラス光学素子の製造方法は、光学素材に光学面形状を転写する一対の転写面が同一軸上で対向配置された一対の金型で、加熱され軟化した前記光学素材を加圧して光学素子を得る光学素子の製造方法であって、前記光学素材より加工性の良いガラス材料でリング状に形成されたフランジ部材が前記光学素材を囲むように前記一対の金型の間に配置され、前記加圧によって前記光学素材の外周縁が前記フランジ部材の内周面に密着結合して一体化したフランジ付きの光学素子が成形され、成形された前記フランジ付きの光学素子を冷却した後に前記金型から取り出して、フランジ部を切削加工して該フランジ部に位置決め用基準面を形成することを特徴とする。
【００１１】
前記光学素材は前記フランジ部材より成形性の悪い光学ガラスであり、前記光学素材はカルコゲナイドガラスである。
【００１２】
前記位置決め用基準面は、芯取り加工によって前記光学素子の光軸を中心とする円形に、且つ、前記光軸と平行に形成された前記フランジ部の外周面である。あるいは、前記光学素子の光軸と直交する平面である。
【００１３】
前記フランジ部材は、前記光学素材の屈伏点より高い転移点を有するようにすると良い。前記フランジ部材の内周面には、前記加圧による前記光学素材の余肉部分を受け入れる余肉収容部が設けられているようにすると良い。
【発明の効果】
【００１４】
本発明によれば、成形性の悪い光学ガラス材料を用いてレンズを成形する場合であっても、フランジ部を簡単に加工することができる。また、カルコゲナイドガラスのような高価な光学ガラス材料を無駄にすることがない。
【図面の簡単な説明】
【００１５】
【図１】本発明に用いるレンズ成形用金型がセットされた圧縮成形機の前板を外した状態を示す外観図である。
【図２】本発明によるレンズ製造フローチャートである。
【図３】光学素材とフランジ部材の金型への配置図である。
【図４】フランジ部材に設けられた余肉収容部を説明する断面図である。
【図５】フランジ付きのレンズを圧縮成形する説明図である。
【図６】成形されたフランジ付きのレンズの断面図である。
【図７】成形されたフランジ付きのレンズの平面図である。
【図８】フランジ付きのレンズの芯取りを説明する図である。
【発明を実施するための形態】
【００１６】
図１に示されるように、圧縮成形機１０は、不活性ガスで充満されたチャンバ１１の内部に、光学素材２０（図３参照）に光学面形状を転写する転写面１４，１５が同一軸１９上で対向配置された一対の上型１２と下型１３とがセットされ。チャンバ１１の上部には加圧装置１８が設けられ、上型１２が上下に移動して加熱されて軟化した光学素材２０を加圧し成形する。チャンバ１１の前板（図示せず）には、作業ロボットのアーム部（図示せず）が出入りする開口が設けられ、シャッタ板によって開閉される。
【００１７】
上型１２及び下型１３は断熱プレートや冷却プレートを介して可動板２５及び固定板２１にそれぞれ固定され、周囲には加熱装置２６，２２が設けられる。加圧装置１８はチャンバ１１内に配置された可圧軸２３を有し、可圧軸２３の先端にはゴムブロック等の弾性ジョイント部材を介して接続部材２４が取付けられている。接続部材２４はネジによって可動板２５に固定される。加熱装置２２，２６はどのような形式のものでも良く、電熱コイルや高周波誘導加熱装置であっても良い。
【００１８】
可動板２５には３つのガイドブッシュ２７が埋設される。ガイドブッシュ２７には、固定板２１に立設された３本のガイド軸２８が挿通され、ガイドブッシュ２７がガイド軸２８に沿って摺動して可動板２５が上下に移動自在に支持されている。
【００１９】
次に、本発明による光学素子の製造方法について、図２に示されるフローチャートに沿って、具体例を説明する。
【００２０】
図３に示されるように、フランジ部材３１を下型１３のフランジ形成面１７上に、光学素材２０を下型１３の転写面１５上に、それぞれ配置される。光学素材２０は、例えばカルコゲナイドガラスが用いられる。カルコゲナイドガラスは磨耗度が小さく、成型性・加工性が悪いので、フランジ部などを一体成形するには極めて不都合である。そこで、フランジ部材３１には一般的なランタン系ガラスを用いる。ランタン系硝子はカルコゲナイドガラスに比べて加工性・切削性が良いので、成形後の芯取り加工が容易に実施できる。
【００２１】
フランジ部材３１が光学素材２０を囲むようにそれぞれを配置させるが、通常は、フランジ部材３１の中心位置が転写面１５の中心位置に一致するように、フランジ部材３１を下型１３に載置することが望ましいが、これを高精度に一致させることは至難であり、時間とコストが係る。本発明においては、この位置精度はラフで良く、高精度を要求しない。
【００２２】
その後、上型１２を下降させるとともに加熱装置２２，２６により金型（上型１２及び下型１３）を加熱するとともに光学素材２０を所定の成形温度にまで加熱する。ここで、フランジ部材３１に用いられるランタン系硝子の転移温度は５２０℃であり、光学素材であるカルコゲナイドガラスの屈伏温度２８０℃より高いので、フランジ部材３１は軟化しない。
【００２３】
図４に示されるように、フランジ部材３１は内周面３２の両縁に余肉収容部３３が形成されている。
【００２４】
図５に示されるように、光学素材２０が所定の成形温度になったところで、レンズ厚を決める所定の位置まで上型１２を下降させて光学素材２０を加圧する。加圧された光学素材２０は外周縁３５がフランジ部材３１の内周面３２に押圧されて外周縁３５と内周面３２とが密着結合するとともに、光学素材２０の余肉部分３６が内周面３２に形成された余肉収容部３３に収容され、光学素材２０の余肉部分がフランジ部材３１を挟む構成となって、成形された光学素材２０とフランジ部材３１とが一体となったフランジ付きのレンズ（光学素子）３０（以下、単にレンズ３０という）が成形される。
【００２５】
図６，７に示されるように、冷却後、上型１２及び下型１３が開かれ、レンズ３０が取り出される。レンズ３０のフランジ部３７（一体化したフランジ部材３１）は、その中心位置が、光学面４１，４２を基準とするレンズ光軸４０と一致しない。フランジ部３７の外周３８の形状はレンズ光軸４０を中心とする円３９に対して偏芯している。
【００２６】
図８に示されるように、光学面４１，４２をベルチャック５０で吸着し、ベルチャック５０の回転軸５１を中心に矢印５２の方向にベルチャック５０を回転させる。回転によってレンズ３０が移動し、光学面４１，４２の中心位置が回転軸５１に一致する。光学面４１の回転軸５１に対する点対称位置の２ヶ所に測長用レーザ５３が照射されて、光学面４１，４２の中心位置と回転軸５１の一致精度が測定される。レンズ３０が光学面４１，４２の中心位置、つまりレンズ光軸４０を中心にして回転し始めたところで、切削工具５５を矢印５６の方向に移動させてフランジ部３７の外周３８偏芯部分４５を削除して芯取りを行う。
【００２７】
芯取りによって、フランジ部３７の芯取り後の外周面４６はレンズ光軸４０を中心とする円筒形になり、外周面４６がレンズ３０の取付時の位置決め用基準面となり、レンズ３０が完成する。ここで、レンズ光軸４０と直交する位置決め用基準面が必要な場合は、フランジ部３７の表裏両面に切削工具５５を押し当て、レンズ光軸４０と直交する平面４８，４９を形成すれば良い。
【００２８】
なお、前記実施形態はフランジ付きのレンズを例に説明したが、本名発明はレンズに限るものではなく、レンズ以外の光学素子、例えば、プリズムやミラーあるいは回折光学素子の製造に採用しても良い。
【符号の説明】
【００２９】
１０  圧縮成形機
１２  上型
１３  下型
１４，１５  転写面
１７  フランジ形成面
１９  （転写面の中心）軸
２０  光学素材
３０  レンズ（フランジ付きのレンズ、光学素子）
３１  フランジ部材
３２  （フランジ部材３１の）内周面
３３  余肉収容部
３５  （光学素材２０の）外周縁
３６  （光学素材２０の）余肉部分
３７  フランジ部
３８  （フランジ部３７の）外周
３９  （レンズ光軸４０を中心とする）円
４０  レンズ光軸
４１，４２  光学面
４５  （フランジ部３７の）偏芯部分
４６  （加工後のフランジ部３７の）外周面（位置決め用基準面）
４８，４９  レンズ光軸４０と垂直な平面（位置決め用基準面）
５０  ベルチャック
５１  （ベルチャック５０の）回転軸
５５  切削工具
【図１】
2013014455.tif 000003
【図２】
2013014455.tif 000004
【図３】
2013014455.tif 000005
【図４】
2013014455.tif 000006
【図５】
2013014455.tif 000007
【図６】
2013014455.tif 000008
【図７】
2013014455.tif 000009
【図８】
2013014455.tif 000010